(57)【要約】      （修正有）【課題】生産時間及び生産コストが増大することなく、熱や外力に弱い円筒型光部品に対しても基板に実装可能とする固定構造を提供する。【解決手段】少なくとも１つ以上の円筒型光部品本体１０１を基板３に位置決めする位置決め機構（保持金具４）と、位置決め機構（保持金具４）と円筒型光部品本体１０１との間に塗布される高粘度のシリコン系接着剤５とを備えた。シリコン系接着剤５の粘度は、５０Ｐａ・ｓ以上である。【選択図】図４
2014157178.tif 000002
【特許請求の範囲】
【請求項１】
円筒型光部品を基板に実装する円筒型光部品の固定構造において、
少なくとも１つ以上の前記円筒型光部品を前記基板に位置決めする位置決め機構と、
前記位置決め機構と前記円筒型光部品との間に塗布される高粘度のシリコン系接着剤と
を備えたことを特徴とする円筒型光部品の固定構造。
【請求項２】
前記シリコン系接着剤の粘度は、５０Ｐａ・ｓ以上である
ことを特徴とする請求項１記載の円筒型光部品の固定構造。
【請求項３】
前記位置決め機構は、
前記基板への固定手段、及び当該基板とともに前記円筒型光部品の本体を保持する収納空間を有する折曲げ板部材を備えた
ことを特徴とする請求項１または請求項２記載の円筒型光部品の固定構造。
【請求項４】
前記位置決め機構は、
一端が前記基板に固定される複数のスペーサと、
前記スペーサの他端に固定される固定手段を有し、当該スペーサ及び前記基板とともに前記円筒型光部品の本体を保持する平板部材とを備えた
ことを特徴とする請求項１または請求項２記載の円筒型光部品の固定構造。
【請求項５】
前記位置決め機構は、
前記基板上に、位置決めする前記円筒型光部品を挟むように配置された複数本のガイドピンを備え、
前記シリコン系接着剤は、前記円筒型光部品、前記基板及び前記ガイドピンにかけて塗布される
ことを特徴とする請求項１または請求項２記載の円筒型光部品の固定構造。
【請求項６】
前記円筒型光部品は２つ以上設けられ、
前記ガイドピンのうち、隣接する前記円筒型光部品に挟まれるガイドピンは、当該隣接する円筒型光部品に共用される
ことを特徴とする請求項５記載の円筒型光部品の固定構造。
【請求項７】
前記位置決め機構は、
所定の前記ガイドピンに被せられる筒型のクッションを備えた
ことを特徴とする請求項５または請求項６記載の円筒型光部品の固定構造。
【請求項８】
前記位置決め機構は、
少なくとも一端が前記基板に固定され、前記円筒型光部品の外周に巻きつけられる少なくとも１本以上のガイドを備え、
前記シリコン系接着剤は、前記円筒型光部品、前記基板及び前記ガイドにかけて塗布される
ことを特徴とする請求項１または請求項２記載の円筒型光部品の固定構造。
【請求項９】
前記ガイドの固定端は、前記基板を貫通して半田付けされる、又は前記基板の表面に半田付けされる
ことを特徴とする請求項８記載の円筒型光部品の固定構造。
【請求項１０】
前記ガイドは、ワイヤ又は板部材から成り、略逆Ｊ字型、略逆Ｕ字型、略Ω字型または略Γ字型の形状に巻きつけられる
ことを特徴とする請求項８または請求項９記載の円筒型光部品の固定構造。
【請求項１１】
前記ガイドは、位置決めする前記円筒型光部品を挟んで対向して複数本設けられ、当該対向するガイドの自由端側が絡められる
ことを特徴とする請求項８または請求項９記載の円筒型光部品の固定構造。
【請求項１２】
前記位置決め機構は、
前記基板への固定手段、及び前記円筒型光部品の本体を保持する収納空間を有する折曲げ板部材から成るガイドを備えた
ことを特徴とする請求項１または請求項２記載の円筒型光部品の固定構造。
【請求項１３】
前記ガイドは、
前記円筒型光部品の本体の直径よりも狭い幅であり、かつ当該本体より長い形状に構成され、当該本体を保持する案内穴を備えた
ことを特徴とする請求項１２記載の円筒型光部品の固定構造。
【請求項１４】
前記案内穴の幅は、前記ガイドの前記円筒型光部品の収納面から裏面に向かい狭くなるよう構成された
ことを特徴とする請求項１３記載の円筒型光部品の固定構造。
【請求項１５】
前記位置決め機構は、
前記基板に設けられ、前記円筒型光部品の本体の直径よりも狭い幅であり、かつ当該本体より長い形状に構成され、当該本体を保持する案内穴を備えた
ことを特徴とする請求項１から請求項１１のうちのいずれか１項記載の円筒型光部品の固定構造。
【請求項１６】
円筒型光部品を基板に実装する円筒型光部品の固定構造において、
前記基板に設けられ、前記円筒型光部品の本体の直径よりも狭い幅であり、かつ当該本体より長い形状に構成され、当該本体を保持する案内穴、及び少なくとも１つ以上の前記円筒型光部品の本体を囲む板金固定部を有する位置決め機構と、
前記板金固定部と前記円筒型光部品との間に設けられ、前記円筒型光部品を前記基板側に押さえつけるクッションと
を備えたことを特徴とする円筒型光部品の固定構造。
【請求項１７】
前記板金固定部は、
前記基板への固定手段、及び当該基板とともに前記円筒型光部品の本体を保持する収納空間を有する折曲げ板部材を備えた
ことを特徴とする請求項１６記載の円筒型光部品の固定構造。
【請求項１８】
前記板金固定部は、
一端が前記基板に固定される複数のスペーサと、
前記スペーサの他端に固定される固定手段を有し、当該スペーサ及び前記基板とともに前記円筒型光部品の本体を保持する平板部材とを備えた
ことを特徴とする請求項１６記載の円筒型光部品の固定構造。
【請求項１９】
前記板金固定部は、
前記基板上に設けられ、軸部に対して大径の頭部を有するＴ型ピンと、
前記Ｔ型ピンの頭部を挿通可能な大径部、及び前記頭部は挿通不可であり前記軸部に係合可能な小径部から成るダルマ形状の固定穴を有し、前記基板及び当該Ｔ型ピンとともに前記円筒型部品の本体を保持する平板部材とを備えた
ことを特徴とする請求項１６記載の円筒型光部品の固定構造。
【請求項２０】
前記案内穴の幅は、前記基板の前記円筒型光部品の設置面から裏面に向かい狭くなるよう構成された
ことを特徴とする請求項１５から請求項１９のうちのいずれか１項記載の円筒型光部品の固定構造。
【請求項２１】
前記円筒型光部品のリードは、前記基板の設置面に表面実装可能なよう曲げ加工が施される
ことを特徴とする請求項１から請求項２０のうちのいずれか１項記載の円筒型光部品の固定構造。
【請求項２２】
前記案内穴の幅は、前記円筒型光部品のリードを曲げずに前記基板の設置面に表面実装可能な寸法に構成される
ことを特徴とする請求項１５から請求項２０のうちのいずれか１項記載の円筒型光部品の固定構造。
【請求項２３】
少なくとも一端が基板に固定され、円筒型光部品の外周に巻きつけられる少なくとも一本以上のガイドと、前記円筒型光部品、前記基板及び前記ガイドにかけて塗布される高粘度のシリコン系接着剤とを備え、前記円筒型光部品を前記基板に実装する円筒型光部品の固定構造による固定方法であって、
前記円筒型光部品を前記基板上に載置し、当該円筒型光部品の本体に前記ガイドを巻きつける第１のステップと、
前記第１のステップの後、前記円筒型光部品を前記ガイドから軸方向に引き抜き、当該ガイドを当該円筒型光部品が収納できなくなるまで軸方向に傾ける第２のステップと、
前記第２のステップの後、前記ガイドの傾きを元に戻しながら、前記円筒型光部品を当該ガイドの中に戻す第３のステップと、
前記第３のステップの後、前記円筒型光部品、前記ガイド及び前記基板にかけて前記シリコン系接着剤を塗布し、当該円筒型光部品のリードを当該基板に半田付けする第４のステップとを有する
ことを特徴とする円筒型光部品の固定方法。
【請求項２４】
一端が基板に固定され、円筒型光部品の外周に巻きつけられる少なくとも一本以上のガイドと、前記円筒型光部品、前記基板及び前記ガイドにかけて塗布される高粘度のシリコン系接着剤とを備え、前記円筒型光部品を前記基板に実装する円筒型光部品の固定構造による固定方法であって、
前記円筒型光部品を前記基板上に、設置位置に対して設置面の法線周りに斜めに載置する第１のステップと、
前記第１のステップの後、前記円筒型光部品の本体に前記ガイドを巻きつける第２のステップと、
前記第２のステップの後、前記円筒型光部品を前記基板の設置位置まで廻す第３のステップと、
前記第３のステップの後、前記円筒型光部品、前記ガイド及び前記基板にかけて前記シリコン系接着剤を塗布し、当該円筒型光部品のリードを当該基板に半田付けする第４のステップとを有する
ことを特徴とする円筒型光部品の固定方法。
【発明の詳細な説明】
【技術分野】
【０００１】
この発明は、光通信装置や光交換装置、光情報処理装置等の電気基板に円筒型光部品を実装するための円筒型光部品の固定構造及びその固定方法に関するものである。
【背景技術】
【０００２】
光通信装置や光交換装置、光情報処理装置等に使用される電気基板に円筒型光部品を実装する際の従来技術（例えば非特許文献１参照）を、図１，５７〜５９を用いて説明する。
図１は円筒型光部品の一般的な構成を示す図である。円筒型光部品１は、図１に示すように、円筒型の本体１０１、ブーツ１０２、光ファイバ１０３及びリード２から構成されている。
【０００３】
図５７は円筒型光部品１の本体１０１に、固定穴１６０１を有するフランジ１６を取付けた状態を示す図である。また、図５８は基板３の構成を示す図であり、図５９は円筒型光部品１を基板３に実装した状態を示す図である。
【０００４】
図１，５７〜５９に示すように、円筒型光部品１を基板３に実装する際には、まず、円筒型光部品１の本体１０１にフランジ１６を取付ける。次いで、リード２を折り曲げて、その先端側を基板３のリード穴３０１に貫通させて、ネジ６をフランジ１６の固定穴１６０１及び基板３の固定穴３０２ｄに貫通させてナット７にて固定する。その後、リード２を、溶融した半田８ａを凝固させることで基板３に固着させている。
【０００５】
また、別の従来技術として、半田溶融の凝固により固定する方法も知られている（例えば特許文献１参照）。この特許文献１に開示された技術では、まず、Ｖ溝を有する位置決め治具により、円筒型光部品を基板上に半田を介して位置決め保持する。次いで、円筒型光部品及び基板を一体的に加熱して半田を溶融し、該溶融した半田を凝固させる。これにより、円筒型光部品を基板上に固定するのと同時に端子を端子係止部に接続している。
【先行技術文献】
【特許文献】
【０００６】
【特許文献１】特願平１−５０２１２３号公報
【非特許文献】
【０００７】
【非特許文献１】古河電気工業製光商品総合カタログ２０１２−Ｃ
【発明の概要】
【発明が解決しようとする課題】
【０００８】
ここで、円筒型光部品は、本体が半田付けできない材料であることが多く、半田付けできる材料であっても環境が高温になるほど故障しやすい性質がある。また、円筒型光部品は光学部品が組み込まれた精密部品であるため、外力が強くなるほど故障しやすい性質もある。
従って、半田の直付けを実施したり、押さえ金具と基板に円筒型光部品を挟んでネジで固定することができず、特許文献１にあるような半田溶融の凝固により固定する方法は、熱に強い部品への実施に限られるという課題があった。
【０００９】
また、非特許文献１における円筒型光部品では、基板への取付け時に円筒型光部品本体に外力が加わらないが、予め円筒型光部品の形状に合わせてフランジを加工し、フランジを円筒型光部品の本体に高精度に位置合わせを行った状態で接着又は溶接しなければならない。従って、生産時間と生産コストがともに増大するという課題があった。
【００１０】
一方、外力が小さい状態で強い保持力が得られる固定方法として、シリコン系接着剤を用いた固定方法がある。しかしながら、シリコン系接着剤を用いた固定方法では、通常は接着剤が硬化するまで２４時間以上待たなければならず、基板の生産時間が増大するという課題がある。
【００１１】
また、一般的にクッションの圧縮圧力を利用した固定方法もある。しかしながら、この固定方法において、外力を小さくするためにはクッション圧力を低く抑える必要がある。従って、クッション圧力が低い場合には、円筒型光部品を組み込んだ基板を輸送した際の振動により、円筒型光部品が移動したり、軸に対して回転し、その外力が半田付けされたリードに集中することによりリードが破断するという課題があった。本問題の発生は、光部品が円筒型であるため、角型の部品に比較して外力に対する移動や回転がしやすいことによる。
【００１２】
この発明は、上記のような課題を解決するためになされたもので、生産時間及び生産コストが増大することなく、熱や外力に弱い円筒型光部品に対しても基板への実装が可能である円筒型光部品の固定構造を提供することを目的としている。
【課題を解決するための手段】
【００１３】
この発明に係る円筒型光部品の固定構造は、少なくとも１つ以上の円筒型光部品を基板に位置決めする位置決め機構と、位置決め機構と円筒型光部品との間に塗布される高粘度のシリコン系接着剤とを備えたものである。
【００１４】
また、この発明に係る円筒型光部品の固定構造は、基板に設けられ、円筒型光部品の本体の直径よりも狭い幅であり、かつ当該本体より長い形状に構成され、当該本体を保持する案内穴、及び少なくとも１つ以上の円筒型光部品の本体を囲む板金固定部を有する位置決め機構と、板金固定部と円筒型光部品との間に設けられ、円筒型光部品を基板側に押さえつけるクッションとを備えたものである。
【発明の効果】
【００１５】
この発明によれば、上記のように構成したので、生産時間及び生産コストが増大することなく、熱や外力に弱い円筒型光部品１に対しても基板への実装が可能となる。
【図面の簡単な説明】
【００１６】
【図１】円筒型光部品の構成を示す図であり、（ａ）上面図であり、（ｂ）側面図であり、（ｃ）正面図である。
【図２】この発明の実施の形態１による基板の構成を示す上面図である。
【図３】この発明の実施の形態１による保持金具の構成を示す図であり、（ａ）上面図であり、（ｂ）側面図であり、（ｃ）正面図である。
【図４】この発明の実施の形態１による円筒型光部品の実装状態を示す図であり、（ａ）上面図であり、（ｂ）側面図であり、（ｃ）正面図である。
【図５】この発明の実施の形態２による基板の構成を示す上面図である。
【図６】この発明の実施の形態２による保持金具の構成を示す図であり、（ａ）上面図であり、（ｂ）側面図であり、（ｃ）正面図である。
【図７】この発明の実施の形態２による円筒型光部品の実装状態を示す図であり、（ａ）上面図であり、（ｂ）側面図であり、（ｃ）正面図である。
【図８】この発明の実施の形態３による基板の構成を示す上面図である。
【図９】この発明の実施の形態３による円筒型光部品の実装状態を示す図であり、（ａ）上面図であり、（ｂ）側面図であり、（ｃ）正面図である。
【図１０】この発明の実施の形態４による基板の構成を示す図であり、（ａ）上面図であり、（ｂ）側面図であり、（ｃ）正面図である。
【図１１】この発明の実施の形態４による円筒型光部品の実装状態を示す図であり、（ａ）上面図であり、（ｂ）側面図であり、（ｃ）正面図である。
【図１２】この発明の実施の形態４による円筒型光部品の別の実装状態を示す図であり、（ａ）上面図であり、（ｂ）側面図であり、（ｃ）正面図である。
【図１３】この発明の実施の形態４による円筒型光部品の別の実装状態を示す図であり、（ａ）上面図であり、（ｂ）側面図であり、（ｃ）正面図である。
【図１４】この発明の実施の形態４による基板の別の構成を示す図であり、（ａ）上面図であり、（ｂ）側面図であり、（ｃ）正面図である。
【図１５】図１４に示す基板を用いた円筒型光部品の実装状態を示す図であり、（ａ）上面図であり、（ｂ）側面図であり、（ｃ）正面図である。
【図１６】この発明の実施の形態５による基板の構成を示す図であり、（ａ）上面図であり、（ｂ）側面図であり、（ｃ）正面図である。
【図１７】この発明の実施の形態５による円筒型光部品の実装状態を示す図であり、（ａ）上面図であり、（ｂ）側面図であり、（ｃ）正面図である。
【図１８】この発明の実施の形態５による基板の別の構成を示す図であり、（ａ）上面図であり、（ｂ）側面図であり、（ｃ）正面図である。
【図１９】図１８に示す基板を用いた円筒型光部品の実装状態を示す図であり、（ａ）上面図であり、（ｂ）側面図であり、（ｃ）正面図である。
【図２０】この発明の実施の形態５による円筒型光部品の別の実装状態を示す図であり、（ａ）上面図であり、（ｂ）側面図であり、（ｃ）正面図である。
【図２１】この発明の実施の形態５による円筒型光部品の別の実装状態を示す図であり、（ａ）上面図であり、（ｂ）側面図であり、（ｃ）正面図である。
【図２２】この発明の実施の形態５による円筒型光部品の別の実装状態を示す図であり、（ａ）上面図であり、（ｂ）側面図であり、（ｃ）正面図である。
【図２３】この発明の実施の形態５による基板の別の構成を示す図であり、（ａ）上面図であり、（ｂ）側面図であり、（ｃ）正面図である。
【図２４】図２３に示す基板を用いた円筒型光部品の実装状態を示す図であり、（ａ）上面図であり、（ｂ）側面図であり、（ｃ）正面図である。
【図２５】この発明の実施の形態５による円筒型光部品の実装状態を示す図であり、（ａ）上面図であり、（ｂ）側面図であり、（ｃ）正面図である。
【図２６】この発明の実施の形態５による基板の別の構成を示す図であり、（ａ）上面図であり、（ｂ）側面図であり、（ｃ）正面図である。
【図２７】図２６に示す基板を用いた円筒型光部品の実装状態を示す図であり、（ａ）上面図であり、（ｂ）側面図であり、（ｃ）正面図である。
【図２８】この発明の実施の形態５による円筒型光部品の別の実装状態を示す図であり、（ａ）上面図であり、（ｂ）側面図であり、（ｃ）正面図である。
【図２９】この発明の実施の形態６による基板の構成を示す図であり、（ａ）上面図であり、（ｂ）側面図であり、（ｃ）正面図である。
【図３０】この発明の実施の形態６による円筒型光部品の途中段階の実装状態を示す図であり、（ａ）上面図であり、（ｂ）側面図であり、（ｃ）正面図である。
【図３１】この発明の実施の形態６による円筒型光部品の実装状態を示す図であり、（ａ）上面図であり、（ｂ）側面図であり、（ｃ）正面図である。
【図３２】この発明の実施の形態７による基板の構成を示す図であり、（ａ）上面図であり、（ｂ）側面図であり、（ｃ）正面図である。
【図３３】この発明の実施の形態７による円筒型光部品の途中段階の実装状態を示す図であり、（ａ）上面図であり、（ｂ）側面図であり、（ｃ）正面図である。
【図３４】この発明の実施の形態７による円筒型光部品の実装状態を示す図であり、（ａ）上面図であり、（ｂ）側面図であり、（ｃ）正面図である。
【図３５】この発明の実施の形態８による基板の構成を示す図であり、（ａ）上面図であり、（ｂ）側面図であり、（ｃ）正面図である。
【図３６】この発明の実施の形態８による円筒型光部品の実装状態を示す図であり、（ａ）上面図であり、（ｂ）側面図であり、（ｃ）正面図である。
【図３７】この発明の実施の形態９による基板の構成を示す図であり、（ａ）上面図であり、（ｂ）側面図であり、（ｃ）正面図である。
【図３８】この発明の実施の形態９による円筒型光部品の途中段階の実装状態を示す図であり、（ａ）上面図であり、（ｂ）側面図であり、（ｃ）正面図である。
【図３９】この発明の実施の形態９による円筒型光部品の実装状態を示す図であり、（ａ）上面図であり、（ｂ）側面図であり、（ｃ）正面図である。
【図４０】この発明の実施の形態９によるガイドの別の構成を示す図であり、（ａ）上面図であり、（ｂ）側面図であり、（ｃ）正面図である。
【図４１】この発明の実施の形態９による基板の別の構成を示す図であり、（ａ）上面図であり、（ｂ）側面図であり、（ｃ）正面図である。
【図４２】図４０に示すガイド及び図４１に示す基板を用いた円筒型光部品の実装状態を示す図であり、（ａ）上面図であり、（ｂ）側面図であり、（ｃ）正面図である。
【図４３】この発明の実施の形態１０による基板の構成を示す図であり、（ａ）上面図であり、（ｂ）側面図であり、（ｃ）正面図である。
【図４４】この発明の実施の形態１０による円筒型光部品の途中段階の実装状態を示す図であり、（ａ）上面図であり、（ｂ）側面図であり、（ｃ）正面図である。
【図４５】この発明の実施の形態１０による円筒型光部品の実装状態を示す図であり、（ａ）上面図であり、（ｂ）側面図であり、（ｃ）正面図である。
【図４６】この発明の実施の形態１１による基板の構成を示す図であり、（ａ）上面図であり、（ｂ）側面図であり、（ｃ）正面図である。
【図４７】この発明の実施の形態１１による円筒型光部品の実装状態を示す図であり、（ａ）上面図であり、（ｂ）側面図であり、（ｃ）正面図である。
【図４８】この発明の実施の形態１２による基板の構成を示す図であり、（ａ）上面図であり、（ｂ）側面図であり、（ｃ）正面図である。
【図４９】この発明の実施の形態１２による円筒型光部品の実装状態を示す図であり、（ａ）上面図であり、（ｂ）側面図であり、（ｃ）正面図である。
【図５０】この発明の実施の形態１３による基板の構成を示す図であり、（ａ）上面図であり、（ｂ）側面図であり、（ｃ）正面図である。
【図５１】この発明の実施の形態１３による保持金具の構成を示す図であり、（ａ）上面図であり、（ｂ）側面図であり、（ｃ）正面図である。
【図５２】この発明の実施の形態１３による円筒型光部品の実装状態を示す図であり、（ａ）上面図であり、（ｂ）側面図であり、（ｃ）正面図である。
【図５３】この発明の実施の形態１４による基板の構成を示す図であり、（ａ）上面図であり、（ｂ）側面図であり、（ｃ）正面図である。
【図５４】この発明の実施の形態１４による円筒型光部品の実装状態を示す図であり、（ａ）上面図であり、（ｂ）側面図であり、（ｃ）正面図である。
【図５５】この発明の実施の形態１５による基板の構成を示す図であり、（ａ）上面図であり、（ｂ）側面図であり、（ｃ）正面図である。
【図５６】この発明の実施の形態１５による円筒型光部品の実装状態を示す図であり、（ａ）上面図であり、（ｂ）側面図であり、（ｃ）正面図である。
【図５７】従来の円筒型光部品の途中段階の実装状態を示す図であり、（ａ）上面図であり、（ｂ）側面図であり、（ｃ）正面図である。
【図５８】従来の円筒型光部品の実装における基板の構成を示す上面図である。
【図５９】従来の円筒型光部品の実装状態を示す図であり、（ａ）上面図であり、（ｂ）側面図であり、（ｃ）正面図である。
【発明を実施するための形態】
【００１７】
以下、この発明の実施の形態について図面を参照しながら詳細に説明する。
実施の形態１．
図１は円筒型光部品１の構成を示す図であり、図２はこの発明の実施の形態１による基板３の構成を示す図である。
円筒型光部品１は、光通信システムの回路として基板３上に設置して使用するフォトダイオードやＶＯＡ等に代表される部品である。この円筒型光部品１は、図１に示すように、円筒型の本体１０１、ブーツ１０２、光ファイバ１０３及びリード２から構成されている。
【００１８】
基板３には、図２に示すように、リード２を貫通可能とするリード穴３０１が形成されている。また、基板３には、後述する保持金具（位置決め機構）４の固定穴４０２とネジ６・ナット７を介して締結される固定穴３０２が形成され、掛部４０４が掛けられる掛穴３０３が形成されている。
【００１９】
そして、円筒型光部品１は、保持金具４により基板３上の設置位置に位置決めされ、後述する粘度５０Ｐａ・ｓ以上の高粘度のシリコン系接着剤５により本体１０１が固定されることで、基板３に実装される。
【００２０】
次に、保持金具４の構成について説明する。図３はこの発明の実施の形態１による保持金具４の構成を示す図である。
保持金具４は、図３（ｃ）に示すように、略コの字型に折り曲げられた板部材であり、基板３とともに円筒型光部品１の本体１０１を保持する収納空間４０１を有している。また、保持金具４の一方の端部には固定穴４０２を有するフランジ４０３が設けられ、他方の端部には掛部４０４が設けられている。さらに、収納空間４０１内の上面には、粘度５０Ｐａ・ｓ以上のシリコン系接着剤５が塗布される。なお、保持金具４の高さは、円筒型光部品１の本体１０１を収納した際に本体１０１との間の距離が最小限となるように予め設計されている。
【００２１】
次に、上記のように構成された円筒型光部品１の固定構造を用いて、円筒型光部品１を基板３に実装する際の動作について、図１〜４を参照しながら説明する。
円筒型光部品１を基板３に実装する場合、まず、円筒型光部品１のリード２を曲げ、基板３のリード穴３０１に貫通させる。次いで、円筒型光部品１の本体１０１に保持金具４を取り付ける。これにより、円筒型光部品１と保持金具４との間にはシリコン系接着剤５が満たされた状態となる。次いで、保持金具４の掛部４０４を基板３の掛穴３０３に掛け、さらに、保持金具４の固定穴４０２と基板３の固定穴３０２をネジ６・ナット７で締結する。次いで、リード２を、基板３に半田８ａを溶融し凝固させることで半田付けする。
【００２２】
ここで、円筒型光部品１の本体１０１と保持金具４との間の距離が最小限となるように保持金具４の高さが決められているため、円筒型光部品１はシリコン系接着剤５の粘性により動き難い状態となる。従って、後工程の組立作業における外力では円筒型光部品１が動かないように保持できる。なお、シリコン系接着剤５は経過時間とともに硬化が進み、最終的に必要十分な固着力が得られる。
【００２３】
以上のように、この実施の形態１によれば、円筒型光部品１を基板３に実装する際に、円筒型光部品１を位置決め機構（保持金具４）により基板３上の設置位置に位置決めし、粘度５０Ｐａ・ｓ以上のシリコン系接着剤５により本体１０１を固定するように構成したので、シリコン系接着剤５の硬化を待たずに次の組立作業を行うことができ、生産時間及び生産コストが増大することなく、熱や外力に弱い円筒型光部品１に対しても実装可能である。また、円筒型光部品１の本体１０１として金属以外の材料が使用でき、高温に曝すことなく実装可能である。
【００２４】
実施の形態２．
実施の形態１では、保持金具４を略コの字型の折曲げ板部材から構成した。それに対して、実施の形態２では、保持金具４を平板部材から構成したものについて示す。
【００２５】
図５はこの発明の実施の形態１による基板３の構成を示す図であり、図６はこの発明の実施の形態２による保持金具４の構成を示す図である。
実施の形態２の基板３には、図５に示すように、図２に示す実施の形態１の基板３の固定穴３０２及び掛穴３０３に代えて、ネジ６を介してスペーサ９と締結される固定穴３０２ｂが形成されている。
【００２６】
また、保持金具４は、図６に示すように、平板部材であり、ネジ６を介してスペーサ９と締結される固定穴４０２ｂが形成されている。また、保持金具４の底面には、粘度５０Ｐａ・ｓ以上のシリコン系接着剤５が塗布される。この保持金具４は、基板３及びスペーサ９とともに、円筒型光部品１の本体１０１を保持する収納空間を構成する。
なお、スペーサ９の高さは、保持金具４が取付けられて円筒型光部品１の本体１０１が収納された際に、保持金具４と円筒型光部品１の本体１０１との間の距離が最小限となるように予め設計されている。
【００２７】
次に、上記のように構成された円筒型光部品１の固定構造を用いて、円筒型光部品１を基板３に実装する際の動作について、図５〜７を参照しながら説明する。
円筒型光部品１を基板３に実装する場合、まず、基板３の固定穴３０２ｂ上にスペーサ９を載せ、固定穴３０２ｂにネジ６を通してスペーサ９に締結する。次いで、円筒型光部品１のリード２を曲げ、基板３のリード穴３０１に貫通させる。次いで、円筒型光部品１を基板３上のスペーサ９間の設置位置に載置する。次いで、保持金具４の固定穴４０２ｂをスペーサ９に合わせて取り付ける。これにより、円筒型光部品１と保持金具４との間にはシリコン系接着剤５が満たされた状態となる。次いで、保持金具４の固定穴４０２ｂにネジ６を通してスペーサ９に締結する。次いで、リード２を、基板３に半田８ａを溶融し凝固させることで半田付けする。
【００２８】
ここで、円筒型光部品１の本体１０１と保持金具４との間の距離が最小限となるようにスペーサ９の高さが決められているため、円筒型光部品１はシリコン系接着剤５の粘性により動き難い状態となる。従って、後工程の組立作業における外力では円筒型光部品１が動かないように保持できる。なお、シリコン系接着剤５は経過時間とともに硬化が進み、最終的に必要十分な固着力が得られる。
【００２９】
以上のように、この実施の形態２によれば、保持金具４を平板部材から構成し、スペーサ９を用いて収納空間を構成するようにしても、実施の形態１と同様の効果を得ることができる。
【００３０】
実施の形態３．
実施の形態１，２では位置決め機構として板金固定部（折曲げ板部材である保持金具４、平板部材である保持金具４及びスペーサ９）を用いた場合について示した。それに対して、実施の形態３では位置決め機構として基板３に案内穴３０４を形成した場合について示す。
【００３１】
図８はこの発明の実施の形態３による基板３の構成を示す図である。
基板３には、図８に示すように、リード２を貫通可能とするリード穴３０１が形成されている。また、基板３には、円筒型光部品１の本体１０１の直径よりも狭い幅であり、かつ本体１０１より長い略長方形に構成され、本体１０１を保持する案内穴３０４が形成されている。
【００３２】
次に、上記のように構成された円筒型光部品１の固定構造を用いて、円筒型光部品１を基板３に実装する際の動作について、図８，９を参照しながら説明する。
円筒型光部品１を基板３に実装する場合、まず、円筒型光部品１のリード２を曲げ、基板３のリード穴３０１に貫通させる。次いで、基板３の案内穴３０４に本体１０１を合わせて円筒型光部品１を基板３上に載置する。次いで、円筒型光部品１と基板３との接触部及びその付近に粘度が５０Ｐａ・ｓ以上のシリコン系接着剤５を塗布する。次いで、リード２を、基板３に半田８ａを溶融し凝固させることで半田付けする。
【００３３】
ここで、基板３には、円筒型光部品１の位置案内と摩擦力増大を図るための案内穴３０４が設けられているため、円筒型光部品１の下側には、基板３との間で２線状の接触部が生じ、円筒型光部品１はシリコン系接着剤５の粘性により動き難い状態となる。従って、後工程の組立作業における外力で円筒型光部品１が動かないように保持できる。なお、シリコン系接着剤５は経過時間とともに硬化が進み、最終的に必要十分な固着力が得られる。
【００３４】
以上のように、この実施の形態３によれば、位置決め機構として、板金固定部に代えて、基板３に案内穴３０４を形成するようにしても、実施の形態１と同様の効果を得ることができる。
【００３５】
実施の形態４．
実施の形態３では位置決め機構として基板３に案内穴３０４を形成した場合について示した。それに対して、実施の形態４では位置決め機構として基板３にガイドピン１０を設けた場合について示す。
【００３６】
図１０はこの発明の実施の形態４による基板３の構成を示す図である。
基板３には、図１０に示すように、リード２を貫通可能とするリード穴３０１が形成されている。また、基板３には、位置決めする円筒型光部品１の本体１０１を挟持するためのガイドピン１０が、圧入等の方法により複数本（図１０では３本のガイドピン１０ａ〜１０ｃ）取付けられている。なお、ガイドピン１０ａとガイドピン１０ｂ，１０ｃとの配置間隔は、円筒型光部品１の本体１０１との間の距離が最小限となるように予め設計されている。
【００３７】
次に、上記のように構成された円筒型光部品１の固定構造を用いて、円筒型光部品１を基板３に実装する際の動作について、図１０，１１を参照しながら説明する。
円筒型光部品１を基板３に実装する場合、まず、円筒型光部品１のリード２を曲げ、基板３のリード穴３０１に貫通させる。次いで、円筒型光部品１を、基板３上のガイドピン１０ａとガイドピン１０ｂ，１０ｃとの間の設置位置に載置する。次いで、円筒型光部品１の本体１０１、基板３及びガイドピン１０にかけて粘度が５０Ｐａ・ｓ以上のシリコン系接着剤５を塗布する。次いで、リード２を、基板３に半田８ａを溶融し凝固させることで半田付けする。
【００３８】
ここで、円筒型光部品１の本体１０１とガイドピン１０との間の距離が最小限となるようにガイドピン１０の配置間隔が決められているため、円筒型光部品１は、ガイドピン１０との間及び基板３の間にて、シリコン系接着剤５の粘性により動き難い状態となる。従って、後工程の組立作業における外力では円筒型光部品１が動かないように保持できる。なお、シリコン系接着剤５は経過時間とともに硬化が進み、最終的に必要十分な固着力が得られる。
【００３９】
また、図１２は図１０，１１に示すガイドピン１０に筒型クッション１１を被せた場合を示す図である（図１２では、３本のガイドピン１０ａ〜１０ｃに、筒型クッション１１ａ〜１１ｃをそれぞれ被せている）。
図１２に示す構成とすることで、円筒型光部品１の本体１０１とガイドピン１０との間が筒型クッション１１で満たされる。従って、シリコン系接着剤５を塗布後に円筒型光部品１が図１１よりも動き難い状態となる。
【００４０】
また、図１３は図１０，１１に示す一部のガイドピン１０にのみ筒型クッション１１を被せた場合を示す図である（図１３では、ガイドピン１０ａに対してのみ筒型クッション１１ａを被せている）。
図１３に示す構成とすることで、円筒型光部品１の本体１０１とガイドピン１０ａとの間は筒型クッション１１ａで満たされ、円筒型光部品１の本体１０１とガイドピン１０ｂ，１０ｃとは接触する。従って、シリコン系接着剤５の塗布後に円筒型光部品１が図１１よりも動き難い状態となる。
【００４１】
また、図１４，１５は４本のガイドピン１０ａ〜１０ｄと２本のクッション１１ｂ，１１ｃにより２つの円筒型光部品１を挟持する場合を示す図である。なお、ガイドピン１０のうち、隣接する円筒型光部品１に挟まれるガイドピン１０ｂ，１０ｃは、当該隣接する円筒型光部品１に共用される。
図１４，１５では、ガイドピン１０ｂ，１０ｃを挟んで円筒型光部品１を配置し、ガイドピン１０ｂ，１０ｃにのみ筒型クッション１１ｂ，１１ｃを被せた構造となっている。これにより、円筒型光部品１の本体１０１とガイドピン１０ｂ，１０ｃとの間は筒型クッション１１で満たされ、円筒型光部品１の本体１０１とガイドピン１０ａ，１０ｄとは接触する。従って、シリコン系接着剤５の塗布後に円筒型光部品１が図１１よりも動き難い状態となる。
【００４２】
以上のように、この実施の形態４によれば、位置決め機構として基板３にガイドピン１０を取付けるようにしても、実施の形態１と同様の効果を得ることができる。
【００４３】
実施の形態５．
実施の形態４では複数本のガイドピン１０により円筒型光部品１の本体１０１を挟持する場合について示した。それに対して、実施の形態５では、ガイド１２を円筒型光部品１の本体１０１に巻きつけることで保持する場合について示す。
【００４４】
図１６はこの発明の実施の形態５による基板３の構成を示す図である。
基板３には、図１６に示すように、リード２を貫通可能とするリード穴３０１が形成されている。また、基板３には、少なくとも一端が基板３に固定され、円筒型光部品１の外周に巻きつけられる少なくとも１本以上のガイド１２が設けられている。なお、ガイド１２の固定端は、基板３の不図示の固定穴３０２ｃに貫通させて、半田８ｂを溶融し凝固させることで半田付けされる。
【００４５】
次に、上記のように構成された円筒型光部品１の固定構造を用いて、円筒型光部品１を基板３に実装する際の動作について、図１６，１７を参照しながら説明する。
円筒型光部品１を基板３に実装する場合、まず、円筒型光部品１のリード２を曲げ、基板３のリード穴３０１に貫通させる。次いで、ガイド１２を、円筒型光部品１の本体１０１の外周に沿わすように巻きつけ、図１７（ｃ）に示すように略逆Ｊ字型に塑性変形させる。次いで、円筒型光部品１の本体１０１、基板３及びガイド１２にかけて粘度が５０Ｐａ・ｓ以上のシリコン系接着剤５を塗布する。次いで、リード２を、基板３に半田８ａを溶融し凝固させることで半田付けする。
【００４６】
ここで、円筒型光部品１の本体１０１とガイド１２との間の距離が最小限又は接触するようガイド１２を巻きつけることで、円筒型光部品１は、ガイド１２との間及び基板３の間にて、シリコン系接着剤５の粘性により動き難い状態となる。従って、後工程の組立作業における外力では円筒型光部品１が動かないように保持できる。なお、シリコン系接着剤５は経過時間とともに硬化が進み、最終的に必要十分な固着力が得られる。
【００４７】
また、図１８，１９はガイド１２を略逆Ｕ字型形状に巻きつけた場合を示す図である。この場合、図１８に示すように、基板３には、ガイド１２の両端それぞれを貫通可能とする固定穴３０２ｃが形成される。
図１８，１９に示す構成では、円筒型光部品１の本体１０１とガイド１２との間、及び円筒型光部品１の本体１０１と基板３との間の距離が最小限又は接触するようにガイド１２が巻きつけられる。よって、シリコン系接着剤５の塗布後に図１７に示す構成と同等以上に円筒型光部品１が動き難い状態となる。
【００４８】
また、図２０は図１８，１９に示す構成に対し、ガイド１２を、２つの円筒型光部品１に２つの略逆Ｕ字型形状に巻きつけた場合を示す図である。
図２０に示す構成としても、図１８，１９と同様の効果が得られる。
【００４９】
また、図２１はガイド１２を略Ω型形状に巻きつけた場合を示す図である。
図２１に示す構成では、円筒型光部品１の本体１０１とガイド１２との間、及び円筒型光部品１の本体１０１と基板３との間の距離が最小限又は接触するようにガイド１２が巻きつけられる。よって、シリコン系接着剤５の塗布後に図１７に示す構成と同等以上に円筒型光部品１が動き難い状態となる。
【００５０】
また、図２２は図２１に示す構成に対し、ガイド１２を、２つの円筒型光部品１に２つの略Ω型形状に巻きつけた場合を示す図である。
図２２に示す構成としても、図２１と同等の効果が得られる。
【００５１】
また、図２３，２４はガイド１２を板部材から構成し、略Γ型形状に巻きつけた場合を示す図である。
図２３，２４に示す構成では、円筒型光部品１の本体１０１とガイド１２との間、及び円筒型光部品１の本体１０１と基板３との間の距離が最小限又は接触するようにガイド１２が巻きつけられる。よって、シリコン系接着剤５の塗布後に図１７に示す構成と同等以上に円筒型光部品１が動き難い状態となる。
【００５２】
また、図２５は図２３，２４に示す構成に対し、ガイド１２を、２つの円筒型光部品１に略Γ型形状に巻きつけた場合を示す図である。
図２５に示す構成としても、図２３，２４と同等の効果が得られる。
【００５３】
また、図２６，２７は左右２本のガイド１２をそれぞれ略逆Ｊ字型形状に巻きつけた場合を示す図である。
図２６，２７に示す構成とすることで、図１７に示す構成よりも円筒型光部品１の本体１０１とガイド１２との接近部又は接触部の領域が増加する。よって、シリコン系接着剤５の塗布後に図１７に示す構成よりも円筒型光部品１が動き難い状態となる。
【００５４】
図２８は図２６，２７に示す構成に対して、ガイド１２の基板３への固定を、基板３上の円筒型光部品１の設置面への表面実装に変更した場合を示す図である。
図２８に示す構成としても、図２６，２７と同様の保持力が得られる。
【００５５】
以上のように、この実施の形態５によれば、ガイド１２を円筒型光部品１の本体１０１の外周に巻きつけて保持するようにしても、実施の形態１と同様の効果を得ることができる。
【００５６】
実施の形態６．
実施の形態６では、実施の形態５の図２１に示す構成において、リード２の基板３への固定を表面実装に変更し、円筒型光部品１の基板３への実装手順を変更したものについて示す。
【００５７】
図２９はこの発明の実施の形態６による基板３の構成を示す図である。
実施の形態６の基板３は、図２１に示す実施の形態５の基板３のリード穴３０１を、基板３の設置面上にガイド１２を半田付けするためのパターン３０５に変更したものである。
【００５８】
次に、上記のように構成された円筒型光部品１の固定構造を用いて、円筒型光部品１を基板３に実装する際の動作について、図２９〜３１を参照しながら説明する。
円筒型光部品１を基板３に実装する場合、まず、円筒型光部品１のリード２に対して、基板３のパターン３０５に表面実装できるよう曲げ加工を施す。次いで、円筒型光部品１を基板３上の設置位置に載置する。次いで、ガイド１２を、円筒型光部品１の本体１０１の外周に沿わすように巻きつけ、略Ω字型に塑性変形させる。次いで、ガイド１２の他端を、基板３に半田８ｂを溶融し凝固させることで半田付けする。次いで、円筒型光部品１をガイド１２から軸方向に引き抜き、ガイド１２を円筒型光部品１が収納できなくなるまで軸方向に倒すように傾けることで、図２９に示す状態となる。次いで、ガイド１２の傾きを元に戻す方向に塑性変形させながら、円筒型光部品１をガイド１２の中に戻す。これにより、ガイド１２と円筒型光部品１の本体１０１上面とが接触し、図３０に示す状態となる。次いで、図３１に示すように、円筒型光部品１の本体１０１、基板３及びガイド１２にかけて粘度が５０Ｐａ・ｓ以上のシリコン系接着剤５を塗布し、また、リード２を、基板３に半田８ｄを溶融し凝固させることで半田付けする。
【００５９】
ここで、円筒型光部品１の本体１０１とガイド１２とが接触した状態が得られるため、円筒型光部品１は、シリコン系接着剤５の粘性により動き難い状態となる。従って、後工程の組立作業における外力では円筒型光部品１が動かないように保持できる。なお、シリコン系接着剤５は経過時間とともに硬化が進み、最終的に必要十分な固着力が得られる。
【００６０】
以上のように、この実施の形態６によれば、円筒型光部品１の本体１０１の外周にガイド１２を巻きつけた後、一旦、円筒型光部品１を引き抜いてガイド１２を傾けた後、再度、円筒型光部品１をガイド１２に挿入するようにして実装を行っても、実施の形態１と同様の効果を得ることができる。
なお、図２９〜３１では、ガイド１２ｃを略Ω字型形状に巻きつけた場合について示した。しかしながら、これに限るものではなく、ワイヤ又は板状のガイドを、略逆Ｊ字型や略逆Ｕ字型、略Γ型の形状に巻きつけるようにしてもよい。
【００６１】
実施の形態７．
実施の形態７では、実施の形態５の図２６，２７に示す構成において、リード２の基板３への固定を表面実装に変更し、円筒型光部品１の基板３への実装手順を変更したものについて示す。
【００６２】
図３２はこの発明の実施の形態７による基板３の構成を示す図である。
実施の形態７の基板３は、図２６に示す実施の形態５の基板３のリード穴３０１を、基板３の設置面上にガイド１２を半田付けするためのパターン３０５に変更したものである。
【００６３】
次に、上記のように構成された円筒型光部品１の固定構造を用いて、円筒型光部品１を基板３に実装する際の動作について、図３２〜３４を参照しながら説明する。
円筒型光部品１を基板３に実装する場合、まず、円筒型光部品１のリード２に対して、基板３のパターン３０５に表面実装できるよう曲げ加工を施す。次いで、円筒型光部品１を基板３上の設置位置に対して、設置面の法線周りに斜めに載置する。次いで、円筒型光部品１の本体１０１に左右のガイド１２を沿わすように巻きつけ、それぞれ略逆Ｊ字型に塑性変形させることで、図３３に示す状態となる。次いで、円筒型光部品１を設置位置まで廻す。これにより、ガイド１２の巻き付け面と円筒型光部品１の軸の垂直面との角度の増大とともにガイド１２が直線に戻る方向に塑性変形し、ガイド１２と円筒型光部品１とが接触した状態となる。次いで、図３４に示すように、円筒型光部品１の本体１０１、基板３及びガイド１２にかけて粘度が５０Ｐａ・ｓ以上のシリコン系接着剤５を塗布し、また、リード２を、基板３に半田８ｄを溶融し凝固させることで半田付けする。
【００６４】
ここで、円筒型光部品１の本体１０１とガイド１２とが接触した状態が得られるため、円筒型光部品１は、シリコン系接着剤５の粘性により動き難い状態となる。従って、後工程の組立作業における外力では円筒型光部品１が動かないように保持できる。なお、シリコン系接着剤５は経過時間とともに硬化が進み、最終的に必要十分な固着力が得られる。
【００６５】
以上のように、この実施の形態７によれば、円筒型光部品１の本体１０１を基板３上の設置位置に対して斜めに載置して本体１０１の外周にガイド１２を巻きつけた後、円筒型光部品１を設置位置側に廻すようにして実装を行っても、実施の形態１と同様の効果を得ることができる。
【００６６】
実施の形態８．
実施の形態５ではガイド１２を円筒型光部品１の本体１０１の外周に巻き付けて保持する場合について示した。それに対して、実施の形態８では位置決めする円筒型光部品１を挟んで対向する２本のガイド１２を用い、両ガイド１２の自由端側を絡めて円筒型光部品１の本体１０１を保持するように構成した場合について示す。
【００６７】
図３５はこの発明の実施の形態８による基板３の構成を示す図である。
基板３には、図３５に示すように、リード２を貫通可能とするリード穴３０１が形成されている。また、基板３には、一端が基板３に固定され、円筒型光部品１の外周に巻きつけられるガイド１２が２本設けられている。なお、ガイド１２の固定端（上記一端）は、基板３の不図示の固定穴３０２ｃに貫通させて、半田８ｂを溶融し凝固させることで半田付けされている。
【００６８】
次に、上記のように構成された円筒型光部品１の固定構造を用いて、円筒型光部品１を基板３に実装する際の動作について、図３５，３６を参照しながら説明する。
円筒型光部品１を基板３に実装する場合、まず、円筒型光部品１のリード２を曲げ、基板３のリード穴３０１に貫通させる。次いで、左右のガイド１２を、円筒型光部品１の本体１０１の外周に沿わすように巻き付け、図３６に示すように上部で両ガイド１２の自由端側を絡めて固定する。次いで、円筒型光部品１の本体１０１、基板３及びガイド１２にかけて粘度が５０Ｐａ・ｓ以上のシリコン系接着剤５を塗布する。次いで、リード２を、基板３に半田８ａを溶融し凝固させることで半田付けする。
【００６９】
ここで、円筒型光部品１の本体１０１とガイド１２との間の距離が最小限又は接触するようガイド１２を巻きつけることで、円筒型光部品１は、ガイド１２との間及び基板３との間にて、シリコン系接着剤５の粘性により動き難い状態となる。従って、後工程の組立作業における外力では円筒型光部品１が動かないように保持できる。なお、シリコン系接着剤５は経過時間とともに硬化が進み、最終的に必要十分な固着力が得られる。
【００７０】
以上のように、この実施の形態８によれば、左右のガイド１２の円筒型光部品１の本体１０１の外周に巻きつけ、ガイド１２の自由端側を絡めて当該本体１０１を保持するようにしても、実施の形態１と同様の効果を得ることができる。
【００７１】
実施の形態９．
実施の形態５〜８ではガイド１２により円筒型光部品１の本体１０１を保持する場合について示した。それに対して、実施の形態９では略コの字型の折曲げ板部材から成るガイド１３を用い、ガイド１３上に円筒型光部品１を載置する場合について示す。
【００７２】
図３７はこの発明の実施の形態９による基板３の構成を示す図であり、図３８はこの発明の実施の形態９によるガイド１３の構成を示す図である。なお以下では、２つの円筒型光部品１を実装する場合について説明する。
基板３には、図３７に示すように、リード２を貫通可能とするリード穴３０１が形成されている。また、基板３には、基板３の設置面上にガイド１３を半田付けするためのパターン３０６が形成されている。
また、ガイド１３は略コの字型の折曲げ板部材により構成され、２つの円筒型光部品１の本体１０１を保持する収納空間１３０１を有している。なお、ガイド１３の収納空間１３０１の幅は、円筒型光部品１の本体１０１との間の距離が最小限又は接触するような寸法に予め設計されている。
【００７３】
次に、上記のように構成された円筒型光部品１の固定構造を用いて、円筒型光部品１を基板３に実装する際の動作について、図３７〜３９を参照しながら説明する。
円筒型光部品１を基板３に実装する場合、まず、ガイド１３の収納空間１３０１上に粘度が５０Ｐａ・ｓ以上のシリコン系接着剤５を塗布し、その上に円筒型光部品１の本体１０１を載置する。次いで、円筒型光部品１のリード２を曲げ、基板３のリード穴３０１に貫通させる。次いで、ガイド１３を基板３の設置位置に合わせして載置する。次いで、リード２及びガイド１３を、基板３に半田８ａ，８ｅを溶融し凝固させることで半田付けする。
【００７４】
ここで、円筒型光部品１の本体１０１とガイド１３との間の距離が最小限又は接触するようガイド１３を構成しているため、円筒型光部品１は、ガイド１３との間にて、シリコン系接着剤５の粘性により動き難い状態となる。従って、後工程の組立作業における外力では円筒型光部品１が動かないように保持できる。なお、シリコン系接着剤５は経過時間とともに硬化が進み、最終的に必要十分な固着力が得られる。
【００７５】
また、図４０〜４２はガイド１３に、円筒型光部品１の本体１０１の直径よりも狭い幅であり、かつ本体１０１より長い略長方形に構成され、本体１０１を保持する案内穴１３０２を設けた場合を示す図である。なお、図４０〜４２では、１つの円筒型光部品１を実装する場合について示している。
図４０〜４２に示す構成としても、図３７〜３９と同様の効果が得られる。なお、案内穴１３０２は、ガイド１３の収納空間１３０１の収納面から裏面に向かい狭くなるよう構成してもよい。
【００７６】
以上のように、この実施の形態９によれば、略コの字型の折曲げ板部材から成るガイド１３を用い、ガイド１３の収納空間１３０１上に円筒型光部品１を載置するようにしても、実施の形態１と同様の効果を得ることができる。
【００７７】
実施の形態１０．
実施の形態１０は、位置決め機構として実施の形態２及び実施の形態３の構成を組み合わせたものである。
なお、実施の形態１０による保持金具４は、図６に示す実施の形態２による保持金具４と同一構成であるため、その説明を省略する。
【００７８】
図４３はこの発明の実施の形態１０による基板３の構成を示す図である。
基板３には、図４３に示すように、リード２を貫通可能とするリード穴３０１が形成されている。また、基板３には、ネジ６を介してスペーサ９と締結される固定穴３０２ｂが形成されている。さらに、基板３には、円筒型光部品１の本体１０１の直径よりも狭い幅であり、かつ本体１０１より長い略長方形に構成され、本体１０１を保持する案内穴３０４が形成されている。なお、案内穴３０４は、基板３の円筒型光部品１の設置面から裏面に向かい狭くなるよう構成してもよい。
【００７９】
以上のように、この実施の形態１０によれば、位置決め機構として、平板部材から成る保持金具４、スペーサ９及び案内穴３０４を用いることで、実施の形態２，３に対し、円筒型光部品１に対する位置決めをさらに確実にし、また、円筒型光部品１との間の摩擦力を増大させることができる。
【００８０】
実施の形態１１．
実施の形態１１は、位置決め機構として実施の形態１と実施の形態２の構成を組み合わせ、かつ、シリコン系接着剤５をクッション１４に変更したものについて示す。
なお、実施の形態１１による保持金具４は、図３に示す実施の形態１による保持金具４とシリコン系接着剤５をクッション１４に変更した点以外は同様であるため、その説明を省略する。
【００８１】
図４６はこの発明の実施の形態１１による基板３の構成を示す図である。
基板３には、図４６に示すように、リード２を貫通可能とするリード穴３０１が形成されている。また、基板３には、保持金具４の固定穴４０２とネジ６・ナット７を介して締結される固定穴３０２が形成され、掛部４０４が掛けられる掛穴３０３が形成されている。さらに、基板３には、円筒型光部品１の本体１０１の直径よりも狭い幅であり、本体１０１より長い略長方形に構成され、本体１０１を保持する案内穴３０４が形成されている。なお、案内穴３０４は、基板３の円筒型光部品１の設置面から裏面に向かい狭くなるよう構成してもよい。
【００８２】
次に、上記のように構成された円筒型光部品１の固定構造を用いて、円筒型光部品１を基板３に実装する際の動作について、図４６，４７を参照しながら説明する。
円筒型光部品１を基板３に実装する場合、まず、円筒型光部品１のリード２を曲げ、基板３のリード穴３０１に貫通させる。次いで、円筒型光部品１の本体１０１に保持金具４を取付ける。これにより、円筒型光部品１と保持金具４の間にはクッション１４が圧縮された状態となる。次いで、保持金具４の掛部４０４を基板３の掛穴３０３に掛け、さらに、保持金具４の固定穴４０２と基板３の固定穴３０２をネジ６とナット７で締結する。次いで、リード２を、基板３に半田８ａを溶融し凝固させることで半田付けする。
【００８３】
ここで、基板３には、円筒型光部品１の位置案内と摩擦力増大を図るための案内穴３０４が設けられているため、円筒型光部品１の下側には、基板３との間で２線状の接触部が生じる。また、円筒型光部品１の上側はクッション１４で押さえつけられている。従って、クッション１４だけで押さえた場合に対して、円筒型光部品１の移動や回転が起こり難くなり、低コストでかつ高い保持力を得られる。
【００８４】
以上のように、この実施の形態１１によれば、円筒型光部品１を基板３に実装する際に、円筒型光部品１の本体１０１を、位置決め機構（保持金具４及び案内穴３０４）により基板３上の所定位置に位置決めし、クッション１４により圧縮固定するように構成したので、クッション１４だけで円筒型光部品１を押さえた場合に対して、円筒型光部品１の移動や回転が起こり難くなり、生産時間及び生産コストが増大することなく、熱や外力に弱い円筒型光部品１に対しても実装可能である。また、円筒型光部品１の本体１０１として金属以外の材料が使用でき、高温に曝すことなく実装可能である。
【００８５】
実施の形態１２．
実施の形態１１では、保持金具４を略コの字型の折曲げ板部材から構成した。それに対して、実施の形態１２では、保持金具４を平板部材から構成したものについて示す。
なお、実施の形態１２による保持金具４は、図６に示す実施の形態２による保持金具４と同一構成であるため、その説明を省略する。
【００８６】
図４８はこの発明の実施の形態１２による基板３の構成を示す図である。
実施の形態１２の基板３には、図４８に示すように、図４６に示す実施の形態１１の基板３の固定穴３０２及び掛穴３０３に代えて、ネジ６を介してスペーサ９と締結される固定穴３０２ｂが形成されている。
【００８７】
次に、上記のように構成された円筒型光部品１の固定構造を用いて、円筒型光部品１を基板３に実装する際の動作について、図４８，４９を参照しながら説明する。
円筒型光部品１を基板３に実装する場合、まず、基板３の固定穴３０２ｂ上にスペーサ９を載せ、固定穴３０２ｂにネジ６を通してスペーサ９に締結する。次いで、円筒型光部品１のリード２を曲げ、基板３のリード穴３０１に貫通させる。次いで、基板３の案内穴３０４に本体１０１を合わせて円筒型光部品１を基板３上に載置する。次いで、保持金具４の固定穴４０２ｂをスペーサ９に合わせて取り付ける。これにより、円筒型光部品１と保持金具４の間にはクッション１４が圧縮された状態となる。次いで、保持金具４の固定穴４０２ｂにネジ６を通してスペーサ９に締結する。次いで、リード２を、基板３に半田８ａを溶融し凝固させることで半田付けする。
【００８８】
ここで、基板３には、円筒型光部品１の位置案内と摩擦力増大を図るための案内穴３０４が設けられているため、円筒型光部品１の下側には、基板３との間で２線状の接触部が生じる。また、円筒型光部品１の上側はクッション１４で押さえつけられている。従って、クッション１４だけで押さえた場合に対して、円筒型光部品１の移動や回転が起こり難くなり、低コストでかつ高い保持力を得られる。
【００８９】
以上のように、この実施の形態１２によれば、保持金具４を平板部材から構成し、スペーサ９を用いて収納空間４０１を構成するようにしても、実施の形態１１と同様の効果を得ることができる。
【００９０】
実施の形態１３．
実施の形態１３では保持金具４の基板３への固定手段として、大径部４０５１及び小径部４０５２から成るダルマ形状の固定穴４０５とＴ型ピン１５とを用いた場合について示す。
【００９１】
図５０はこの発明の実施の形態１３による基板３の構成を示す図であり、図５１はこの発明の実施の形態１３による保持金具４の構成を示す図である。
基板３には、図５０に示すように、リード２を貫通可能とするリード穴３０１が形成されている。また、基板３には、軸部に対して大径の頭部を有するＴ型ピン１５が、圧入等の方法により取付けられている。さらに、基板３には、円筒型光部品１の本体１０１の直径よりも狭い幅であり、本体１０１より長い略長方形に構成され、本体１０１を保持する案内穴３０４が形成されている。なお、案内穴３０４は、基板３の円筒型光部品１の設置面から裏面に向かい狭くなるよう構成してもよい。
【００９２】
また、保持金具４は、図５１に示すように、平板部材であり、ネジ６を介してスペーサ９と締結される固定穴４０５が形成されている。この固定穴４０５は、Ｔ型ピン１５の頭部を挿通可能な大径部４０５１、及びＴ型ピン１５の頭部は挿通不可であり軸部に係合可能な小径部４０５２とから成るダルマ形状に構成されている。さらに、保持金具４の底面には、クッション１４が設けられている。
【００９３】
そして、保持金具４を基板３に固定する際には、まず、保持金具４の固定穴４０５の大径部４０５１を、基板３に取付けられたＴ型ピン１５の頭部から軸部に通す。次いで、保持金具４を、Ｔ型ピン１５の位置が固定穴４０５の大径部４０５１から小径部４０５２となるようスライドさせる。これにより、Ｔ型ピン１５の軸部と固定穴４０５の小径部４０５２とが係合し、保持金具４を基板３に固定することができる。
【００９４】
以上のように、この実施の形態１３によれば、実施の形態１２の固定手段に代えて、保持金具４にダルマ形状の固定穴４０５を設け、基板３上に垂直に立てたＴ型ピン１５に当該固定穴４０５をはめ込むようにしても、実施の形態１２と同様の固定力が得られる。
【００９５】
実施の形態１４．
実施の形態１４は、円筒型光部品１のリード２を、基板３の設置面に表面実装可能なよう加工した場合について示す。
【００９６】
図５３はこの発明の実施の形態１４による基板３の構成を示す図であり、図５４はこの発明の実施の形態１４による円筒型光部品１の実装状態を示す図である。
基板３には、図５３に示すように、基板３の設置面上にリード２を半田付けするためのパターン３０５が形成されている。また、基板３には、少なくとも一端が基板３に固定され、円筒型光部品１の外周に巻きつけられる少なくとも１本以上のガイド１２が設けられている。なお図５３では、ガイド１２の固定端は、基板３の不図示の固定穴３０２ｃに貫通させて、半田８ｂを溶融し凝固させることで基板３上に半田付けされている。
また、円筒型光部品１のリード２は、基板３上の円筒型光部品１を設置面に表面実装可能なよう、曲げ加工が施されている。
【００９７】
以上のように、この実施の形態１４によれば、円筒型光部品１のリード２に対して曲げ加工を施すことで、基板３の円筒型光部品１の設置面に表面実装することが可能となる。
なお、図５４，５５に示す構成に限るものではなく、実施の形態１〜５，８〜１３のリード２に対しても同様に実施可能である。
【００９８】
実施の形態１５．
実施の形態１４では、リード２に対して、基板３の設置面に表面実装可能とするため曲げ加工を施した場合について示した。それに対して、実施の形態１５では、リード２を曲げずに表面実装を可能とするため、基板３に案内穴３０４ｂを形成した場合について示す。
なお、実施の形態１５による保持金具４は、図５１に示す実施の形態１３による保持金具４と同一構成であるため、その説明を省略する。
【００９９】
図５５はこの発明の実施の形態１５による基板３の構成を示す図であり、図５６はこの発明の実施の形態１５による円筒型光部品１の実装状態を示す図である。
基板３には、図５５に示すように、基板３の設置面上にリード２を半田付けするためのパターン３０５が形成されている。また、基板３には、軸部に対して大径の頭部を有するＴ型ピン１５が、圧入等の方法により取付けられている。さらに、基板３には、リード２を曲げずに基板３の設置面に表面実装可能とするため、円筒型光部品１の本体１０１の直径よりも狭い幅であり、本体１０１より長い略長方形に構成され、本体１０１を保持する案内穴３０４ｂが形成されている。この案内穴３０４ｂの幅寸法は、リード２の位置と円筒型光部品１の直径から決定し、リード２と基板３との距離が１ｍｍ以下となるように予め設計されている。なお、案内穴３０４ｂは、基板３の円筒型光部品１の設置面から裏面に向かい狭くなるよう構成してもよい。
【０１００】
以上のように、この実施の形態１５によれば、基板３に案内穴３０４ｂを形成することで、リード２を曲げることなく、基板３の円筒型光部品１の設置面に表面実装することが可能となる。
なお、図５６，５７に示す構成に限るものではなく、実施の形態３，１０〜１３の案内穴３０４についても同様に適用可能である。
【０１０１】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【０１０２】
１  円筒型光部品、２  リード、３  基板、４  保持金具（位置決め機構）、５  シリコン系接着剤、６  ネジ、７  ナット、８ａ〜８ｅ  半田、９  スペーサ、１０  ガイドピン（位置決め機構）、１１  筒型クッション、１２，１３  ガイド（位置決め機構）、１４  クッション、１５  Ｔ型ピン、１０１  本体、１０２  ブーツ、１０３  光ファイバ、３０１  リード穴、３０２，３０２ｂ，３０２ｃ  固定穴、３０３  掛穴、３０４，３０４ｂ  案内穴（位置決め機構）、３０５，３０６  パターン、４０１  収納空間、４０２，４０２ｂ  固定穴、４０３  フランジ、４０４  掛部、４０５  固定穴、１３０１  収納空間、１３０２  案内穴、４０５１  大径部、４０５２  小径部。
【図１】
2014157178.tif 000003
【図２】
2014157178.tif 000004
【図３】
2014157178.tif 000005
【図４】
2014157178.tif 000006
【図５】
2014157178.tif 000007
【図６】
2014157178.tif 000008
【図７】
2014157178.tif 000009
【図８】
2014157178.tif 000010
【図９】
2014157178.tif 000011
【図１０】
2014157178.tif 000012
【図１１】
2014157178.tif 000013
【図１２】
2014157178.tif 000014
【図１３】
2014157178.tif 000015
【図１４】
2014157178.tif 000016
【図１５】
2014157178.tif 000017
【図１６】
2014157178.tif 000018
【図１７】
2014157178.tif 000019
【図１８】
2014157178.tif 000020
【図１９】
2014157178.tif 000021
【図２０】
2014157178.tif 000022
【図２１】
2014157178.tif 000023
【図２２】
2014157178.tif 000024
【図２３】
2014157178.tif 000025
【図２４】
2014157178.tif 000026
【図２５】
2014157178.tif 000027
【図２６】
2014157178.tif 000028
【図２７】
2014157178.tif 000029
【図２８】
2014157178.tif 000030
【図２９】
2014157178.tif 000031
【図３０】
2014157178.tif 000032
【図３１】
2014157178.tif 000033
【図３２】
2014157178.tif 000034
【図３３】
2014157178.tif 000035
【図３４】
2014157178.tif 000036
【図３５】
2014157178.tif 000037
【図３６】
2014157178.tif 000038
【図３７】
2014157178.tif 000039
【図３８】
2014157178.tif 000040
【図３９】
2014157178.tif 000041
【図４０】
2014157178.tif 000042
【図４１】
2014157178.tif 000043
【図４２】
2014157178.tif 000044
【図４３】
2014157178.tif 000045
【図４４】
2014157178.tif 000046
【図４５】
2014157178.tif 000047
【図４６】
2014157178.tif 000048
【図４７】
2014157178.tif 000049
【図４８】
2014157178.tif 000050
【図４９】
2014157178.tif 000051
【図５０】
2014157178.tif 000052
【図５１】
2014157178.tif 000053
【図５２】
2014157178.tif 000054
【図５３】
2014157178.tif 000055
【図５４】
2014157178.tif 000056
【図５５】
2014157178.tif 000057
【図５６】
2014157178.tif 000058
【図５７】
2014157178.tif 000059
【図５８】
2014157178.tif 000060
【図５９】
2014157178.tif 000061